(57)【要約】【課題】静止画の撮影および動画の録画が可能なデジタルカメラにおいて、咄嗟の撮影および録画操作を可能としたデジタルカメラを提供する。【解決手段】人差し指でレリーズスイッチ３０を上方向にスライドすると動画の録画が開始される。レリーズスイッチ３０の人差し指を緩めると、レリーズスイッチ３０は前記バネによって中立位置まで戻される。この状態では録画は継続して行われており、レリーズスイッチ３０を再度上方向にスライドすると動画の録画が停止される。また、人差し指をレリーズスイッチ３０から離すことなくレリーズスイッチ３０を下方向にスライドすると静止画の撮影が行われる。スライド式のレリーズスイッチ３０によって静止画の撮影および動画の録画を可能としたので、レリーズスイッチ３０から指を離すことなく撮影および録画操作が可能となる。【選択図】　　図１
2004146996.tif 000002
【特許請求の範囲】
【請求項１】
静止画の撮影および動画の録画が可能なデジタルカメラにおいて、
撮影を指示するための第１のスライド位置と、録画および録画停止を指示するための第２のスライド位置とで移動可能なスライド式のレリーズスイッチが、前記デジタルカメラの外装体に設けられていることを特徴とするデジタルカメラ。
【請求項２】
静止画の撮影および動画の録画が可能なデジタルカメラにおいて、
撮影を指示するための第１の押圧位置と、録画および録画停止を指示するための第２の押圧位置とで揺動可能なシーソー式のレリーズスイッチが、前記デジタルカメラの外装体に設けられていることを特徴とするデジタルカメラ。
【発明の詳細な説明】
【０００１】
【発明の属する技術分野】
本発明はデジタルカメラに係り、特に静止画の撮影や動画の録画が可能なデジタルカメラに関する。
【０００２】
【従来の技術】
周知の如く、従来のデジタルカメラは静止画の撮影に加えて動画の録画を可能としたものが知られている。このようなデジタルカメラは一般的に一つのレリーズスイッチと、撮影モードおよび録画モードを切り替えるモード切換手段とを備えており、レリーズスイッチの機能がシャッタボタンと録画ボタンとでモードに応じて切り換わる。しかし、たとえば録画モード時に静止画の撮影をする場合にはモードの切り替え操作が必要であるために、咄嗟の操作が困難でシャッターチャンスを逃すという欠点があった。
【０００３】
これを解決するために、静止画の撮影するためのシャッタボタンと、動画を録画するための録画ボタンとを個別に備えたものが知られている（たとえば特許文献１参照）。
【０００４】
【特許文献１】
特開２０００−３５２７５９号公報
【０００５】
【発明が解決しようとする課題】
しかし、このようなデジタルカメラではシャッタボタンと録画ボタンとでスイッチ同士の距離が離れているため操作性が悪いという不具合があった。
【０００６】
本発明はこのような事情に鑑みてなされたもので、静止画の撮影および動画の録画が可能なデジタルカメラにおいて、咄嗟の撮影および録画操作を可能としたデジタルカメラを提供することを目的とする。
【０００７】
【課題を解決する為の手段】
本発明は前記目的を達成する為に、静止画の撮影および動画の録画が可能なデジタルカメラにおいて、撮影を指示するための第１のスライド位置と、録画および録画停止を指示するための第２のスライド位置とで移動可能なスライド式のレリーズスイッチが、前記デジタルカメラの外装体に設けられていることを特徴としている。
【０００８】
本発明によれば、スライド式のレリーズスイッチによって静止画の撮影および動画の録画を可能としたので、レリーズスイッチから指を離すことなく撮影および録画操作が可能となり、咄嗟の操作が容易に行える。
【０００９】
請求項２に記載の本発明は、静止画の撮影および動画の録画が可能なデジタルカメラにおいて、撮影を指示するための第１の押圧位置と、録画および録画停止を指示するための第２の押圧位置とで揺動可能なシーソー式のレリーズスイッチが、前記デジタルカメラの外装体に設けられていることを特徴としている。
【００１０】
請求項２に記載の本発明によれば、シーソー式のレリーズスイッチによって静止画の撮影および動画の録画を可能としたので、レリーズスイッチから指を離すことなく撮影および録画操作が可能となり、咄嗟の操作が容易に行える。
【００１１】
【発明の実施の形態】
以下、添付図面に従って、本発明に係るデジタルカメラの好ましい実施の形態について詳説する。図１は、本発明に係るデジタルカメラ１０の第１の実施の形態を示した斜視図である。
【００１２】
デジタルカメラ１０は外装体１２と、この外装体１２に設けられた液晶表示部（ＬＣＤ）１４、レリーズスイッチ３０、外装体１２の正面の略中央位置に設けられ、複数のレンズが内蔵されたレンズ鏡筒（不図示）などから構成されている。
【００１３】
外装体１２の背面の上部にはＬＣＤ１４が設けられている。このＬＣＤ１４には、撮影／録画モード時において撮影／録画する直前の画像が表示され、撮影者はＬＣＤ１４にて被写体をフレーミングしつつピントや露出などを確認しながら撮影／録画することができる。また、再生モード時にはＬＣＤ１４には撮影／録画された画像が表示される。
【００１４】
ＬＣＤ１４の下部にはディスプレイボタン１８、カーソルボタン２２、主電源・モード切換スイッチ２６などが設けられている。
【００１５】
ディスプレイボタン１８は、ＬＣＤ１４の表示を切り替える操作手段である。ディスプレイボタン１８を押圧操作するとＬＣＤ１４の表示を表示／非表示／設定表示とで切り換えできる。ここで、たとえばＬＣＤ１４を設定表示とするとデジタルカメラ１０は設定変更モードとなり、デジタルカメラ１０の各種設定の変更画面がＬＣＤ１４に表示される。
【００１６】
カーソルボタン２２は、上下左右のいずれかの縁部（上／下／左／右キー）を押圧することによってカーソルボタン２２が傾き、対応する４方向（上、下、右、左）の指示を入力できるようにしたもので、たとえば設定変更モード時における各種設定項目の選択や設定内容の変更、再生モード時における撮影された再生画像のコマ送り／戻しを指示する操作手段などとして使用される。実行ボタン２０は、設定変更モード時においてＬＣＤ１４の設定表示の画面から各種設定項目へ遷移させる場合や、カーソルボタン２２によって選択された設定内容を確定させるものである。また、戻るボタン２４は、ＬＣＤ１４の設定表示の画面から選択された各種設定項目の画面の取消（キャンセル）や一つ前の操作状態に戻る時などの操作手段である。
【００１７】
主電源・モード切換スイッチ２６は電源オフおよび撮影・録画／再生モード（すなわち電源オン）を切り換えるもので、電源オフとなる中立位置から左側にスライドすると「撮影／録画モード」に切り換わり、中立位置から右側にスライドすると「再生モード」に切り換わる。なお、符号２７はデジタルカメラ１０の搬送時などにおける主電源・モード切換スイッチ２６の誤動作を防止するためのロック解除ボタン３１であり、このロック解除ボタン３１を押圧すれば、主電源・モード切換スイッチ２６を左右にスライドできる。
【００１８】
外装体１２の側面にはレリーズスイッチ３０、ズーム倍率を指定するズームスイッチ３２などが設けられている。
【００１９】
レリーズスイッチ３０は、中立位置から図１における上方向および下方向の所定の位置までスライド可能に設けられ、このレリーズスイッチ３０を操作して撮影および録画が行われる。すなわち、撮影／録画モード時において、レリーズスイッチ３０を中立位置から上方向にスライドさせれば動画の録画が開始される。レリーズスイッチ３０には不図示のバネが内蔵され、レリーズスイッチ３０から手を離すとレリーズスイッチ３０は前記中立位置まで戻される。この後、レリーズスイッチ３０を再度上方向にスライドさせれば録画が停止される。また、レリーズスイッチ３０を中立位置から下方向にスライドさせれば静止画の撮影が行われる。ここで、レリーズスイッチ３０の下方向のスライド操作において、レリーズスイッチ３０は途中位置（以下、この位置を半スライド位置という）にてクリックストップされる構成となっている。この半スライド位置では画像確認のための仮撮影が行われる。このままレリーズスイッチ３０をさらに下方向にスライドすると全スライド位置となり撮影が行われる。なお、符号３１は、レリーズスイッチ３０の誤動作を防止するためのロック解除ボタンであり、このロック解除ボタン３１を押圧すれば、レリーズスイッチ３０を上下にスライドできる。
【００２０】
ズームスイッチ３２は、中立位置から図１における上方向および下方向の所定の位置までスライド可能に設けられ、撮影者はズームスイッチ３２を操作して、撮影／録画画像のズーム領域を任意の大きさ（撮影者の所望のズーム倍率）に変更できる。すなわち、ズームスイッチ３２を中立位置から上方向にスライドさせればズーム縮小（テレ）が行われ、中立位置から下方向にスライドさせればズーム拡大（ワイド）が行われる。
【００２１】
なお、符号２８はスマートメディア（記録媒体）を外装体１２の内部に収納するためのメディアスロットのカバー（スロットカバー）であり、このスロットカバー２８を開閉してスマートメディアを交換できる。この記録媒体としてはスマートメディアに限らず、ＸＤピクチャーカードなどの各種記録媒体を用いてよい。
【００２２】
外装体１２にはＣＣＤ（不図示）が内蔵され、前記レンズ鏡筒のレンズ結像位置に配置されている。また、外装体１２には前述した各スイッチと回路接続された不図示の制御基盤が内蔵され、ＣＣＤと制御基盤とは不図示の回路を介して接続されている。なお、この制御基盤にはＣＣＤによって撮像された画像を電子画像データ（デジタルデータ）に変換するための画像処理装置や、スマートメディアにデジタルデータを書き込み／読み取るためのリーダライタ装置、ＬＣＤ１４に画像を表示させる表示メモリなどが設けられている。
【００２３】
撮影／録画モード時には、ＬＣＤ１４にはＣＣＤによって撮像された画像が表示される。このとき、撮影者によってレリーズスイッチ３０が中立位置から上方向にスライドされると、レリーズスイッチ３０から制御基板に動画の録画を開始する指示信号が出力される。これを受けて制御基盤では、ＣＣＤによって撮像された画像を画像処理装置によってデジタルデータに変換し、このデジタルデータをリーダライタ装置を介してスマートメディアに連続して書き込ませて記録させる。この後、撮影者によってレリーズスイッチ３０が中立位置から上方向に再度スライドされると、レリーズスイッチ３０から制御基板に動画の録画を停止する指示信号が出力され、スマートメディアへの画像の記録が停止される。また、撮影者によってレリーズスイッチ３０が中立位置から下方向の半スライド位置までスライドされると、静止画の仮撮影を行う指示信号が出力される。制御基盤では、表示メモリにデジタルデータを書き込ませてＬＣＤ１４に仮撮像画像を表示させる。レリーズスイッチ３０をさらに下方向にスライドして全スライド位置とすると、レリーズスイッチ３０から制御基板に静止画の撮影を行う指示信号が出力される。制御基盤では、ＣＣＤによって撮影された画像を画像処理装置によってデジタルデータに変換させ、リーダライタ装置を介してスマートメディアに書き込ませて記録させる。なお、動画の録画が行われている最中にレリーズスイッチ３０が下側にスライドされた場合には、制御基板にて撮影を行う指示信号はキャンセルされ、撮影が行われることはない。
【００２４】
外装体１２には、このほかにもデジタルカメラ１０に電力を供給させるバッテリ（不図示）が内蔵されているほか、外装体１２の上面には撮影ステータスを表示などさせる液晶表示部１６が設けられている。
【００２５】
次に、このような構成のデジタルカメラ１０の作用を図２を用いて以下に説明する。
【００２６】
図２において主電源・モード切換スイッチ２６を切り換えて撮影／録画モードとする。撮影者はＬＣＤ１４によって被写体を捕らえ、被写体を撮影範囲に収めるようにデジタルカメラ１０を操作してフレーミングする。この後、人差し指でレリーズスイッチ３０を図２における上方向にスライドすると動画の録画が開始される。レリーズスイッチ３０の人差し指を緩めると、レリーズスイッチ３０は前記バネによって中立位置まで戻される。この状態では録画は継続して行われており、レリーズスイッチ３０を再度上方向にスライドすると動画の録画が停止される。
【００２７】
また、人差し指をレリーズスイッチ３０から離すことなくレリーズスイッチ３０を図２における下方向にスライドすると静止画の撮影が行われる。この際、レリーズスイッチ３０は従来のカメラのレリーズスイッチのように半スライド位置にてクリック感があり、画像確認のための仮撮影が容易に行なえる。さらにレリーズスイッチ３０を下方向にスライドして全スライド位置とすれば撮影が行われる。
【００２８】
この後、人差し指でレリーズスイッチ３０を図２における上方向にスライドすると、再度動画の録画が開始される。
【００２９】
これら撮影／録画された画像はデジタルデータとしてスマートメディアに記録される。なお、撮影者によって主電源・モード切換スイッチ２６を切り換えて再生モードとすると、撮影された画像（スマートメディアに記録された動画／静止画像）がモニタ表示部に表示されるが、これら詳細の説明は省略する。
【００３０】
このように、本発明に係るデジタルカメラ１０によれば、スライド式のレリーズスイッチ３０によって静止画の撮影および動画の録画を可能としたので、レリーズスイッチが一つにまとまり操作性が向上する。とくに、レリーズスイッチ３０から指を離すことなく撮影および録画操作が可能となり、咄嗟の撮影および録画操作が容易に行える。
【００３１】
次に、本発明に係る第２の実施の形態を図３に示すデジタルカメラ４０を例として説明する。なお、上述したデジタルカメラ１０との同一部分には同一符号を用いて示している。
【００３２】
同図において、デジタルカメラ４０の外装体４２の側面には、前述したスライド式のレリーズスイッチ３０に代えてシーソー式のレリーズスイッチ５０が設けられている。このレリーズスイッチ５０は、所定の箇所を支点としてレリーズスイッチ５０の上下両端をシーソー式に揺動可能に設けられ、このレリーズスイッチ５０を操作して撮影および録画が行われる。すなわち、レリーズスイッチ５０の上側を押圧させれば動画の録画が開始される。レリーズスイッチ５０には不図示のバネが内蔵され、レリーズスイッチ５０から手を離すとレリーズスイッチ５０は中立位置まで戻される。この後、レリーズスイッチ５０の上側を再度押圧させれば録画が停止される。また、レリーズスイッチ５０の下側を押圧させれば静止画の撮影が行われる。ここで、レリーズスイッチ５０は下側の押圧操作において、途中位置（以下、半押し位置という）にてクリックストップされる構成となっており、この半押し位置では画像確認のための仮撮影が行われる。このままレリーズスイッチ５０をさらに押圧操作すると全押し位置となり撮影が行われる。なお、符号５１はレリーズスイッチ５０の誤動作を防止するためのロック解除ボタンである。
【００３３】
外装体４２にはＣＣＤや制御基盤が内蔵され、この制御基盤は前述したレリーズスイッチ５０と回路接続されている。なお、デジタルカメラ４０における制御基盤やＣＣＤ、画像処理装置、カードリーダライタ装置などの構成は前述したデジタルカメラ１０と同様であるので、その説明を省略する。
【００３４】
次に、本発明に係るデジタルカメラ４０の作用を図３を用いて以下に説明する。
【００３５】
はじめに主電源・モード切換スイッチ２６を切り換えて撮影／録画モードとする。撮影者はＬＣＤ１４によって被写体を捕らえ、被写体を撮影範囲に収めるようにデジタルカメラ４０を操作してフレーミングする。この後、人差し指でレリーズスイッチ５０の上側を押圧すると動画の録画が開始される。レリーズスイッチ５０の人差し指を緩めると、レリーズスイッチ５０は前記バネによって中立位置まで戻される。この状態では録画は継続して行われており、レリーズスイッチ５０の上側を再度押圧すると動画の録画が停止される。
【００３６】
また、人差し指をレリーズスイッチ５０から離すことなくレリーズスイッチ５０の下側を押圧すると、静止画の撮影が行われる。この際、レリーズスイッチ５０は従来のカメラのレリーズスイッチのように半押し位置にてクリック感があり、画像確認のための仮撮影が容易に行なえる。さらにレリーズスイッチ５０を全押しして全押し位置とすれば撮影が行われる。
【００３７】
この後、人差し指でレリーズスイッチ５０の上側を押圧すると動画の録画が再度開始される。
【００３８】
なお、動画の録画が行われている最中にレリーズスイッチ５０が下側に押圧された場合には、制御基板にて撮影を行う指示信号はキャンセルされ、撮影が行われることはない。
【００３９】
このように、本発明に係るデジタルカメラ４０によれば、シーソー式のレリーズスイッチ５０によって静止画の撮影および動画の録画を可能としたので、レリーズスイッチが一つにまとまり操作性が向上する。とくに、レリーズスイッチ５０から指を離すことなく撮影および録画操作が可能となり、咄嗟の撮影および録画操作が容易に行える。
【００４０】
前述した実施の形態に示したデジタルカメラ１０，４０の構成は、前記実施の形態に限定されるものではない。たとえば、デジタルカメラとしてレンズ交換などを不要としたデジタルカメラやコンパクトカメラなどを用いて示したが、これに限らずレンズ交換が可能なレフレックスデジタルカメラ（一眼レフデジタルカメラ）などにも本発明を適用できる。
【００４１】
【発明の効果】
以上、説明したように本発明に係るデジタルカメラによれば、スライド式またはシーソー式のレリーズスイッチによって静止画の撮影および動画の録画を可能としたので、レリーズスイッチから指を離すことなく撮影および録画操作が可能となり、咄嗟の操作が容易に行える。
【図面の簡単な説明】
【図１】本発明の実施の形態に係るデジタルカメラの第１の実施の形態を示す斜視図
【図２】本発明の実施の形態に係るデジタルカメラの第１の実施の形態における作用を示す図
【図３】本発明の実施の形態に係るデジタルカメラの第２の実施の形態を示す斜視図
【符号の説明】
１０，４０…デジタルカメラ、１２，４２…外装体、３０，５０…レリーズスイッチ
【図１】
2004146996.tif 000003
【図２】
2004146996.tif 000004
【図３】
2004146996.tif 000005